(57)【要約】  本発明は、弦楽器の弦の数を増やすためのコンバータ装置（１）に関し、コンバータ装置は、ベースプレート（２１）を有するフレーム（２０）及び弦調整ねじ（３１）を有するヘッド（３０）と、ベースプレート（２１）に取り付けられ、ヘッド（３０）まで延びる追加弦（２）であって、追加器（２）を調律することを可能とする調整ねじ（３１）で終端する追加弦（２）と、コンバータ装置を弦楽器の弦側に取り外し可能に取り付けるための手段（１０２）とを備える。本発明はまた、コンバータ装置（１）を弦楽器に適用するための方法にも関する。【選択図】図１ａ
2021513679.tif 000002
【特許請求の範囲】
【請求項１】
弦楽器の弦の数を増やすためのコンバータ装置（１）であって、
ベースプレート（２１）を有するフレーム（２０）及び弦調整ねじ（３１）を有するヘッド（３０）と、
前記ベースプレート（２１）に取り付けられ、前記ヘッド（３０）まで延びる追加弦（２）であって、前記追加弦（２）を調律することを可能にする前記調整ねじ（３１）で終端する追加弦（２）と、
前記コンバータ装置を前記弦楽器の弦側に取り外し可能に取り付けるための手段（１０２）と、を備えるコンバータ装置（１）。
【請求項２】
前記フレーム（２０）は、前記ヘッド（３０）とは反対側に配置された前記ベースプレート（２１）から前記ヘッド（３０）まで延在し、前記弦（２）内の張力によって作り出される前記フレーム（２０）の荷重を担持する２つの対向する細長い部材（２２、２３）を備える、請求項１に記載のコンバータ装置（１）。
【請求項３】
前記フレームは、前記ヘッド（３１０）とは反対側に配置された前記ベースプレート（２１１）から前記ヘッド（３１０）まで延在し、前記弦（２）内の張力によって作り出される前記フレームの荷重を担持する、単一の細長い支持部材（２１２）を備える、請求項１に記載のコンバータ装置（１）。
【請求項４】
前記単一の細長い支持部材（２１２）、前記ベースプレート（２１１）、及び前記ヘッド（３１０）は、一体品に完全に統合されている、請求項３に記載のコンバータ装置（１）。
【請求項５】
前記２つの対向する細長い部材（２２、２３）は、ｚ方向において曲線構成を有し、したがって、前記弦楽器のネックに平行な、前記２つの対向する細長い部材（２２、２３）の部分が、ｚ方向において前記弦楽器の前記ネックの下に位置する、請求項２に記載のコンバータ装置（１）。
【請求項６】
前記単一の細長い支持部材（２１２）は、ｚ方向において曲線構成を有し、したがって、前記弦楽器のネックに平行な、前記単一の細長い部材（２１２）の部分が、ｚ方向において前記弦楽器の前記ネックの下に位置する、請求項３又は４に記載のコンバータ装置（１）。
【請求項７】
前記単一の細長い支持部材（２１２）は、ｚ方向において曲線構成を有し、したがって、前記単一の細長い支持部材（２１２）の主要部分が、ｚ方向において前記弦楽器の下に位置する、請求項３又は４に記載のコンバータ装置（１）。
【請求項８】
前記装置（１）を弦楽器に取り外し可能に取り付けるための手段（１０２）は、ベルト及びバックル（１０１）、ストラップ（１０３）、ベルクロ取り付けストリップ、弾性バンド、スナップ嵌め（１０２）又は磁石（１０４）のうちの少なくとも１つを備える、請求項２、３、４、５、６、又は７のいずれかに記載のコンバータ装置（１）。
【請求項９】
コンバータ装置（１）を弦楽器に適用するための方法であって、
フレーム（２０）と、調整ねじ（３１）を有するヘッド（３０）と、前記装置（１）を前記弦楽器の弦側に取り外し可能に取り付けるための手段（１０２）とを備える、弦楽器の弦（２）の数を増やすためのコンバータ装置（１）を提供するステップと、
前記装置（１）を前記弦楽器の前記弦側に取り外し可能に取り付けるステップと、
前記フレーム（２０）の前記ベースプレート（２１）に取り付けられ、前記ヘッド（３０）まで延びる弦（２）を配置するステップであって、前記弦（２）は、前記ヘッド（３０）上に配置された調整ねじ（３１）で終端するステップと、を含む方法。
【発明の詳細な説明】
【技術分野】
【０００１】
本発明は、ギターなどの弦楽器の弦を増やすためのコンバータ装置に関する。
【背景技術】
【０００２】
弦楽器が調律されるためには、各弦のオクターブ点を、例えばエレキギターやバスのネックに位置するその対応するオクターブフレットに合わせる必要がある。弦のオクターブ点は、弦の全体的な共振長によって規定され、そして、それは、ナットにおける弦の交差点と、ブリッジにおける弦の交差点との間の距離によって規定される。ナット及びブリッジにおける交差点間の距離が一定のままである限り、弦の共振長、したがってそのオクターブ点も一定のままである。
【０００３】
現代のエレキギターでは、例えば、楽器のネックに対する各弦の高さは個人の趣向の問題であることが理解され、ユーザーが望むように弦の高さを変化させることを可能にするための多くの仕組みが導入されている。例えば、Ｆｅｎｄｅｒの米国特許第４，０３１，７９９号を参照されたい。この高さ調整は、通常、例えば（ドラムとしても知られる）ブリッジ部分を貫いて垂直に延びる設定ねじによって、楽器のブリッジとボディとの間の間隔を変化させることによって達成される。
【０００４】
複弦ギターとは、複数の対の弦が設けられたものである。各対は、近接して配置されてオクターブ又は同じ音符に調律された１本の弦として演奏される２本の弦を備える。弦対は、普通の単弦楽器では実現できない音を生み出す。例えば、米国特許第１，７２１，７１０号、第１，８１９，３７１号、第３，２６９，２４７号、及び第３，３４４，６９８号を参照されたい。前述の特許に記載された複弦楽器の各々において、弦の一端は、ブリッジを通り越した後にボディ上で終端し、他端は、ナットを通り越した後に楽器のヘッドに位置する複数の調律キーによって終端する。
【０００５】
複弦ギターは演奏者の楽器目録の素晴らしい追加物であるが、特定の歌曲にのみ適しており、したがってかなりの投資を表す。したがって、演奏者が任意に単弦楽器を複弦楽器に容易に変換し、そして戻すことを可能にするデバイスが比較的低いコストで提供されるならば、非常に望ましいであろう。このようなデバイスは、既存の、おそらくは未使用の単弦ギターを変換するのとは反対に、新しい複弦ギターを購入することから生じる莫大なコストを明らかに節約することになろう。
【０００６】
このような変換キットは、既存のギターデザインと容易に互換性であるのが好ましく、そうすれば、キットの既存市場が提供されるであろう。キットは、追加の弦を加えて、そのそれぞれの端部を、適切なナット及びブリッジのアセンブリを超えて、楽器のヘッド及びボディで終端させるための手段と、追加弦を調律するための手段とを含む。
【発明の概要】
【０００７】
上述及び他の先行技術の欠点に鑑み、本発明の全般的な目的は、単弦楽器を複弦楽器に変換するための改善された装置を提供することと、先行技術における上記の問題を少なくとも部分的に緩和することとである。したがって、本発明の目的は、通常の単弦楽器（例えば、４弦バス又は６弦ギター）を複弦楽器（例えば、８弦又は１２弦ギター）に、最小限のパーツ、楽器の修正及び経費で、迅速かつ容易に変換することを可能にする弦楽器変換装置（１）を提供することである。本発明の別の目的は、弦楽器（例えば、６弦ギター）の弦（２）の数を所望の数に最小限のパーツを用いて増やして、その楽器を演奏するための選択肢の範囲を広げるためのコンバータ装置（１）を提供することである。
【０００８】
本発明のさらなる目的は、弦又は調整ねじが取り付けられていない弦楽器を有することであり、その場合、変換装置（１）を使用して、楽器に、例えば４本、５本、６本又はそれ以上の弦を設けることができ、また、例えばナイロン弦又はスチール弦の間で交代させる可能性を有することである。さらなる選択肢を有するために、２つ以上の変換装置（１）を同じ弦楽器に使用することも可能であろう。
【０００９】
本発明の第１の態様によれば、これら及び他の目的は、弦楽器の弦（２）の数を増やすためのコンバータ装置（１）を通じて達成され、コンバータ装置（１）は、
フレーム（２０）と、
弦（２）の調整ねじ（３１）を有するヘッド（３０）と、
装置（１）を弦楽器に取り外し可能に取り付けるための手段と、を備える。
【００１０】
本発明は、今日の複弦楽器に対する選択肢は限定されており、純粋な複弦楽器への多額の投資が行われるか、又は通常の方法で使用することが敬愛もしくは所望され得る単弦楽器に永久的な変更を行うことができるという認識に基づく。本発明者らは、耐荷重性であると理解されるフレーム（２０）を導入することによって、コンバータ装置（１）を弦楽器に取り外し可能に取り付け得ることに気付いた。耐荷重性フレーム（２０）を有することにより、変換される楽器のネックが折れたり割れたりするリスクが低減される。コンバータ装置（１）は、費用効率が良く、信頼性が高く、迅速に取り付けられ、同等に優れた複弦楽器に投資することなく、優れた音響特性を有する単弦楽器を複弦楽器として使用する能力も提供する。コンバータ装置（１）は、さらに、低コストで、信頼性が高く、堅牢である。おそらくより重要なことには、コンバータ装置（１）は、迅速に取り外され得、例えばギターなどのボディを貫通することによって、楽器を変換するための他の方法が行うようにギターを永久的に変更することはない。
【００１１】
少なくとも１つの例示的な実施形態によれば、フレーム（２０）は、ヘッド（３０）とは反対側に配置されたベースプレート（２１）からヘッド（３０）まで延在し、フレーム（２０）の荷重を担持する２つの対向する細長い支持部材（２２及び２３）を備える。対向する細長い支持部材（２２及び２３）は、コンバータ装置（１）の中心長手方向軸の、互いに反対側に配置されると理解されたい。
【００１２】
弦調整ねじ（３１）を有するヘッド（３０）は、弦楽器の本来の調整ねじと一緒に、又はフレーム（２０）の反対側の端部に、配置することができる。ベースプレート（２１）は、ヘッド（３０）と比較して常にフレーム（２０）の反対端に配置される。
【００１３】
少なくとも１つの例示的な実施形態によれば、フレーム（２０）は、ヘッド（３１０）とは反対側に配置されたベースプレート（２１１）からヘッド（３１０）まで延在し、フレームの荷重を担持する単一の細長い支持部材（２１２）を備える。
【００１４】
フレーム（２０）は、単一品で、又は互いに取り付けられた複数のパーツから、作製され得る（図４ｂ）。
【００１５】
細長い支持部材（２１２）は、真直でもよいし、湾曲でもよいし、又は原則として任意の形状に従ってもよい。細長い支持部材（２１２）の断面は、変化してもよいし、又は一定でもよい。
【００１６】
細長い支持部材（２２、２１２）は、弦楽器の上に（図３ｃ）、部分的に楽器の上と下とに（図４ｂ）、又は主に楽器の下に取り付けられ得る。
【００１７】
少なくとも１つの例示的な実施形態によれば、フレーム（２０）は木製及び／又は金属製である。あるいは、フレーム（２０）は、部分的又は全体的にプラスチックによって作製され得る。
【００１８】
少なくとも１つの例示的な実施形態によれば、コンバータ装置（１）は、ベースプレート（２１）に取り付けられ、ヘッド（３０）まで延びる弦（２）を備え、弦（２）は、追加弦（２）を調律することを可能にする調整ねじ（３１）で終端する。
【００１９】
本発明の第２の態様によれば、これら及び他の目的は、コンバータ装置（１）を弦楽器に適用するための方法によって達成される。方法は、
弦楽器の弦（２）の数を増やすためのコンバータ装置（１）であって、フレーム（２０）と、弦調整ねじ（３１）を有するヘッド（３０）と、装置（１）を弦楽器に取り外し可能に取り付けるための手段（１０１、１０２、１０３）とを備えるコンバータ装置（１）を提供するステップと、
装置（１）を弦楽器に取り外し可能に取り付けるステップと、
フレーム（２０）のベースプレート（２１）に取り付けられ、ヘッド（３０）まで延びる弦（２）を配置するステップであって、弦（２）はヘッド（３０）上に配置された調整ねじ（３１）で終端するステップと、を含む。
【００２０】
第２の態様の目的、効果及び特徴は、本発明の第１の態様と大いに類似している。
【００２１】
本発明の他の目的、特徴、及び利点は、以下の詳細な開示から、添付の従属請求項から、並びに図面から見えてくる。
【図面の簡単な説明】
【００２２】
本発明のこれら及び他の態様を、本発明の少なくとも１つの例示的な実施形態を示す添付の図面を参照して、より詳細に説明する。
【図１ａ】本発明の少なくとも１つの実施形態によるコンバータ装置（１）の概略図である。
【図１ｂ】本発明の少なくとも１つの実施形態によるコンバータ装置（１）の概略図である。
【図１ｃ】本発明の少なくとも１つの実施形態によるコンバータ装置（１）の概略図である。
【図２ａ】本発明での使用に好適な弦調整ねじ（３１）を有するヘッド（３０）の異なる図である。
【図２ｂ】本発明での使用に好適な弦調整ねじ（３１）を有するヘッド（３０）の異なる図である。
【図２ｃ】本発明での使用に好適な弦調整ねじ（３１）を有するヘッド（３０）の異なる図である。
【図２ｄ】本発明での使用に好適な弦調整ねじ（３１）を有するヘッド（３０）の異なる図である。
【図２ｅ】本発明での使用に好適な弦調整ねじ（３１）を有するヘッド（３０）の異なる図である。
【図３ａ】典型的な６弦ギターを示す。
【図３ｂ】図３ａの６弦ギターに適用された、本発明の少なくとも１つの実施形態によるコンバータ装置（１）の異なる図である。
【図３ｃ】図３ａの６弦ギターに適用された、本発明の少なくとも１つの実施形態によるコンバータ装置（１）の異なる図である。
【図４ａ】本発明の少なくとも１つの代替実施形態によるコンバータ装置（１）の概略図である。
【図４ｂ】本発明の少なくとも１つの代替実施形態によるコンバータ装置（１）の概略図である。
【図５ａ】６弦ギターに適用された、本発明の少なくとも１つの実施形態によるコンバータ装置（１）の異なる図である。
【図５ｂ】６弦ギターに適用された、本発明の少なくとも１つの実施形態によるコンバータ装置（１）の異なる図である。
【図６ａ】コンバータ装置（１）の取り付け手段を示す詳細図である。
【図６ｂ】コンバータ装置（１）の取り付け手段を示す詳細図である。
【図７ａ】６弦ギターに適用された、本発明の少なくとも１つの実施形態によるコンバータ装置（１）の異なる図である。
【図７ｂ】６弦ギターに適用された、本発明の少なくとも１つの実施形態によるコンバータ装置（１）の異なる図である。
【図７ｃ】６弦ギターに適用された、本発明の少なくとも１つの実施形態によるコンバータ装置（１）の異なる図である。
【図８】弦調整ねじ（３１１）を有するヘッド（３１０）が、弦楽器の本来の調整ねじに対して、フレームの反対端に配置された、単一の細長い支持部材（２１２）を有するコンバータ装置（１）を伴う弦楽器の原理図を示す。
【発明を実施するための形態】
【００２３】
本詳細説明において、弦楽器の弦（２）の数を増やすためのコンバータ装置（１）及び方法の実施形態を、主に、本発明のさまざまな実施形態に係る本発明の原理を概略的に示す図を参照して説明する。これは決して本発明の範囲を制限するものではなく、例えば、添付の図面に示された実施形態以外の他の種類又は変形のフレーム、楽器、形状及び取り付け手段を用いて、他の状況においても適用可能である。さらに、特定の特徴が本発明の実施形態に関連して言及されることは、それらの構成要素を本発明の他の実施形態と共に有利に使用することができないことを意味するものではない。図面において、同様の、又は同じ要素は、同じ参照番号によって参照される。図面は単なる概略表現であり、本発明の特定のパラメータを描写することを意図するものではない。
【００２４】
図１ａ〜図１ｃは、本発明の少なくとも１つの実施形態によるコンバータ装置（１）の概略図である。図１ａは上面図であり、図１ｂは側面図であり、図１ｃは正面図である。また、図１ａ〜図１ｃに共通する座標系は、コンバータ装置（１）がどの方向から示されているかを示す。
【００２５】
コンバータ装置（１）は、フレーム（２０）とヘッド（３０）とを含む。フレーム（２０）及びヘッド（３０）は、木材、プラスチック又は金属などの任意の適切なタイプの材料で作製され得、図面に示されるフレーム（２０）及びヘッド（３０）は、異なるパーツ又は部分に対して異なる断面を有し得、一部分又は一パーツに沿って異なる断面を有し得る。
【００２６】
フレーム（２０）は、ヘッド（３０）とは反対側に配置されたベースプレート（２１）からヘッド部分（２４）まで延在する２つの対向する細長い支持部材（２２、２３）を備える。したがって、２つの対向する細長い支持部材（２２、２３）は、弦（２）内の張力によって作り出されるフレームの荷重を担持する。ヘッド部分（２４）は、ヘッド（３０）に取り付けられ、ヘッド（３０）を支持する。ヘッドは、フレーム（２０）の（単一品フレームの場合では）一パーツ部分であり得る。あるいは、ヘッド（図２ａ、図２ｂ、図２ｃ、図２ｄ、図２ｅ）は、フレーム（２０）に取り付けられた別個のパーツであり得る。
【００２７】
また、図１ａ〜図１ｃには、フレームのベースプレート（２１）から延びる弦（２）も示されており、弦（２）は、サドル（２７）を通過してヘッド（３０）まで延び、そこで、調整ねじ（３１）に取り付けられている。あるいは、弦（２）は、調律デバイス（３１）を必要とせずに、ヘッド（３０）に取り付けられるだけでもよい。弦（２）は、図１ｂを見ると、フレームのパーツ（２４）の下を通過し、ゴムリスト（２５）及びサドル又はナット（２６）上に静置する。使用中、ラバーリスト（２５）はギターなどの楽器のボディに寄りかかり得、一方、サドル又はナット（２６）は弦（２）を離間させて保持する。もちろん、弦（２）は、異なる経路を経て、同じ効果を達成してもよく、例えば、弦は、フレーム（２０）のパーツ（２１、２４）の上又は中を通過してもよいし、又はフレーム（２０）のパーツ（２１、２４）のドリル孔の中を通過してもよいことが理解される。
【００２８】
弦（２）は、それらが取り付けられているベースプレート（２１）から、図１ｂに見られるようにヘッド部分パーツ（２４）の下を通って、ヘッド（３０）まで、調整ねじ（３１）まで延びる。弦（２）をフレーム（１）のベースプレート（２１）に取り付ける方法は数多くある。弦（２）は、ベースプレート（２１）又はヘッド部分パーツ（２４）の穴を通してねじ込まれ得る。弦（２）は、端部に結び目を有し、結び目が、弦（２）がベースプレート（２１）又はヘッド部分パーツ（２４）のそれぞれの穴を通過するのをブロックしてもよいし、又はベースプレート（２１）又はヘッド部分パーツ（２４）のそれぞれの穴について、隣接する穴に配置されたねじによって係止されてもよい。あるいは、弦（２）は、ベースプレート（２１）の周りに縛り付けられてもよい。
【００２９】
図２ａ〜図２ｅは、コンバータ装置（１）で使用するのに好適なヘッド（３０）の異なる実施形態を示す。図２ａは、それぞれ３つの調整ねじを有する２つの脚部を有するヘッドを示す。図２ｂは、単一の脚部に６つの調整ねじが配置されたヘッドを示す。図２ｃは、ヘッドの周囲に連続するフレームによって補強されているヘッドを示す。図２ｄは、ヘッドが、単一の脚部の各側面に３つの調整ねじが配置された脚部を有することを示す。図２ｅは、例えば図１ａのパーツ２４に対応する、フレームのパーツ上に直接配置された調整ねじを示す。図２ａ〜図２ｅは、調整ねじを有するヘッドが本発明と併せてどのように見えるかを示す例に過ぎない。他の変形はもちろん可能であり、本発明の範囲内で、例えば、本発明が使用される楽器の弦（２）の数に基づいて、より多い又はより少ない数の調整ねじが可能である。
【００３０】
図３ａ〜図３ｃを参照すると、まず、図３ａには、典型的な６弦ギターがコンバータ装置（１）なしで示され、これは、コンバータ装置（１）が締結デバイスなしでギター上に配置されて示されている、図３ｂ及び図３ｃと対比される。座標系は配向を示す。コンバータ装置（１）の弦（２）はギターの弦と平行に配置され、有利にはダブルペアを形成すべきであることに留意されたい。本発明の弦（２）は、この実施例では、ギターの弦の上に配置されている。場合によっては、コンバータ装置（１）の弦（２）がより簡単にダブルペア構成で配置されるように、ギターのナット及び／又はサドルは、６つのスロットを有するものから１２個のスロットを有するものに置き換えられ得る。図３ｂは、本発明の弦（２）がフレーム（２１）の短辺から、次いでギターのサドル（３０３）の上をどのように進んで、ギター弦と平行になってギターナットに至るかを示す。場合によっては、ギターの弦（２）の長さとコンバータ装置とは異なる長さを有し得るので、カポを任意の弦（２）又は弦セット（２）上に使用して、ギターの調律を適応させることができる。
【００３１】
図４ａ及び図４ｂは、本発明の少なくとも１つの代替実施形態によるコンバータ装置（１）の概略図である。この代替実施形態では、フレーム（２０）は、ヘッド（３１０）とは反対側に配置されたベースプレート（２１１）からヘッド（３１０）まで延在し、フレーム（２０）の荷重を担持する単一の細長い支持部材（２１２）を備える。この代替実施形態は、演奏者がその手を弦（２）により容易に届かせることを可能にし得る。図示しないさらに別の代替バージョンでは、コンバータ装置は、フレーム（２０）の各長手方向側面にヘッドを備え得る。
【００３２】
図４ｂは、フレーム（２０）がｚ方向に延在するコンバータ装置（１）の別の代替設計を示す。これにより、コンバータ装置は美的に向上するが、エレキギターで最も一般的に見られる演奏者の自由な手の動きを阻害する可能性のある音量及びマイクロフォンの制御の問題も回避できる。
【００３３】
当業者は、例えば、弦（２）をヘッド（３１０）に保持し、ギターに取り付けられることができるフレーム（２０）の滑らかに流れるような形状を用いて、本発明の範囲内で可能な多くの実施形態が存在することを認識する。
【００３４】
図５ａ及び図５ｂは、コンバータ装置（１）の取り付け手段を示す。したがって、コンバータ装置（１）をギターに取り付けるさまざまな方法を示すが、説明されるこれらの取り付け手段のすべてが、コンバータ装置（１）をその目的に利用するために必要とされるわけではないことに留意されたい。示される取り付け手段のすべてが必要ではなく、１つ、２つ、又は３つが使用するのに好適であり得る。図５ａ及び図５ｂに示されたコンバータ装置（１）は、ベースプレート（２１）に対応するフレーム（２０）の短縁に取り付けられ、伸びてギターのショルダーストラップボタンに取り付け可能である、ベルト及びバックル（１０１）の形態の取り付け手段を備える。しかしながら、すべてのギターがショルダーストラップ用のボタンを有するわけではない。したがって、バックル（１０１）は、代わりに、以下に説明されるストラップ（１０３）まで伸びてもよいし、又はギター（３０１）の背面にあるフック状のブラケットで取り付けられてもよい。
【００３５】
別の選択肢は、フレーム（２０）に相補的な形状を有するスナップ嵌め（１０２）を取り付けることである。スナップ嵌め（１０２）は、ギターのボディの周りのストラップに取り付けることができる。しかしながら、例えば、ギターのボディ（３０１）内に配置された磁石を使用し、スナップ嵌め（１０２）上に磁石を有するという、スナップ嵌め（１０２）を取り付ける他の方法が存在する。別の取り付け手段は、フレーム（２０）の長辺に取り付けられたストラップ（１０３）である。ストラップ（１０３）は、フレーム（２０）の各側面から延在する２つのストラップ（１０３）が存在する場合、ギターの背面に又は背面でバックルを用いて取り付けられ得、手で緊張するまで引っ張ってフレーム（２０）を所定の位置にロックすることができる。ストラップ（１０３）は、例えばベルト及びバックル（１０１）と併合することによって、多くの異なる方法でギターのボディの周りに引きめぐらすことができる。上記したように、ギターのボディ（３０１）内部とフレーム（２０）上とに磁石（１０４）を配置して、ギターのボディ（３０１）を通して発生する磁場を介してフレーム（２０）をギターに押し付けてもよい。ヘッド取り付け手段（１０５）を図６ａ及び図６ｂに詳細に示す。フック状ブラケット（１０６）が、ギターのヘッドに対して着座するように配置され得る。任意のストラップは、弾性又は非弾性であり得る。ストラップは、それらを互いに及び／又はフレーム（２０）に取り付けるためのベルクロストリップを有し得る。
【００３６】
図６ａ及び図６ｂは、コンバータ装置（１）のヘッド取り付け手段を示す詳細図である。参照番号（２０１）は、ギターのナットを指す。２つのねじ（２０２）を使用して、フレーム（２０）をヘッドブラケット（２０３）に取り付け得る。ヘッドブラケット（２０３）は、異なる材料で作製され得、かつ異なる形状を有し得る。これは、一つのデザインの一実施例にすぎない。別の実施例は、ねじが何らかのばね又はスナップ嵌めデバイスで置き換えられたものであり得る。場合によっては、通常のカポがヘッドブラケットとして機能することができる。さらに別の実施例は、ねじ（２０２）のうちのいずれか１つが、ヘッドブラケット（２０３）をフレーム（２０）に保持し、ギターネックに平行な旋回軸で回転することができる（ばね荷重され得る）心棒で置き換えられたものとなる。次いで、ヘッドブラケット（２０３）を、きつく締まるまでギターネックの周りで回転させ、次いで、例えば残りのねじ（２０２）を用いて、ロックすることができる。さらに、フレーム（２０）を、弦楽器の本来のナットと本来の調整ねじとの間に位置する弦楽器の本来の弦（２）の部分に取り付け得る。
【００３７】
図７ａ〜図７ｃは、６弦ギターに適用された、本発明の少なくとも１つの実施形態によるコンバータ装置（１）の３つの図である。図７ａ〜図７ｃのコンバータ装置は、コンバータ装置（１）をギター（図３ａ）に取り外し可能に取り付けるための代替手段を示す。
【００３８】
ギターボディ（３０１）は、中間部よりも幅広の尻部を有する典型的な形状を有する。コンバータ装置（１）は、ギターの尻部のような形状とされた穴を有するブラケット（３０２）を備え得、したがって、ギターボディ（３０１）を穴に挿入し、それによってフレーム（２０）の尻部をギターにロックすることができる。ブラケット（３０２）は、軟質材料で作製されてもよいし、又はブラケット（３０２）の穴が、軟質材料でライニングされてもよい。
【００３９】
図面に示されたフレーム（２０）は、緊張した弦（２）によって引き起こされる荷重を担う２つの細長い部材（２２、２３）を有する概ね長方形の形状を有していたが、本発明は、三角形、楕円形、又はそれ以外の一般的な形状のフレームなどの任意の好適な耐荷重性フレーム（２０）を使用することができることに留意されたい。さらに、荷重を担う細長い部材の数は、図４ａ及び図４ｂに示すように単一の部材であってもよいし、又は３つ以上であってもよい。
【００４０】
本発明を、その特定の例示的な実施形態を参照して説明したが、多くの異なる変更、修正などが当業者には明らかとなるであろう。開示された実施形態への変形は、図面、本開示、及び添付の特許請求の範囲の調査から、特許請求された発明を実施する際に当業者によって理解され、実行されることができる。さらに、特許請求の範囲において、「備える」という単語は、他の要素又はステップを除外せず、不定冠詞「ａ」又は「ａｎ」は、複数形を除外しない。
【００４１】
図８から分かるように、単一の細長い支持部材（２１２）を有するコンバータ装置（１）は、弦調整ねじ（３１１）を有するヘッド（３１０）が、弦楽器の本来の調整ねじに対してフレームの反対端に配置されるように、弦楽器上に配置することができ、その場合、ベースプレート（２１１）は、弦楽器の本来の調整ねじと一緒に配置される。
【００４２】
コンバータ装置（１）は複数のパーツから作製することができ、その場合、単一の細長い支持部材（２１２）と、ベースプレート（２１１）と、ヘッド（３１０）とは一緒に取り付けられるが、単一の細長い支持部材（２１２）と、ベースプレート（２１１）と、ヘッド（３１０）とはまた、一体品に完全に統合することもできる。
【図１ａ】
2021513679.tif 000003
【図１ｂ】
2021513679.tif 000004
【図１ｃ】
2021513679.tif 000005
【図２ａ】
2021513679.tif 000006
【図２ｂ】
2021513679.tif 000007
【図２ｃ】
2021513679.tif 000008
【図２ｄ】
2021513679.tif 000009
【図２ｅ】
2021513679.tif 000010
【図３ａ】
2021513679.tif 000011
【図３ｂ】
2021513679.tif 000012
【図３ｃ】
2021513679.tif 000013
【図４ａ】
2021513679.tif 000014
【図４ｂ】
2021513679.tif 000015
【図５ａ】
2021513679.tif 000016
【図５ｂ】
2021513679.tif 000017
【図６ａ】
2021513679.tif 000018
【図６ｂ】
2021513679.tif 000019
【図７ａ】
2021513679.tif 000020
【図７ｂ】
2021513679.tif 000021
【図７ｃ】
2021513679.tif 000022
【図８】
2021513679.tif 000023
【国際調査報告】
2021513679.tif 000024
2021513679.tif 000025